(57)【要約】【課題】駆動部の配置を変えることで、駆動部の直径や厚みを気にせず、複数の羽根の回転中心に配置された部品の形状を設計することができるようにすることを目的とする。【解決手段】本発明の天井２に取付け可能な天井扇風機１は、天井２に固定される吊り下げ部３と、吊り下げ部３内に設けられる駆動部４と、駆動部４の下部から延びた連結部５と、連結部５の端部に固定されたフランジ６と、フランジ６から延びた複数の羽根７とを備え、駆動部４によって、連結部５とフランジ６と羽根７とが回転し、駆動部４は、吊り下げ部３に引っ掛け可能としたものである。【選択図】図３
2020051299.tif 000002
【特許請求の範囲】
【請求項１】
天井に固定される吊り下げ部と、
駆動部と、
前記駆動部の下部から延びた連結部と、
前記連結部の端部に固定されたフランジと、
前記フランジから延びた複数の羽根とを備え、
前記駆動部によって、前記連結部と前記フランジと前記羽根とが回転し、
前記駆動部は、前記吊り下げ部に引っ掛け可能であることを特徴とする天井扇風機。
【請求項２】
前記吊り下げ部は、前記駆動部を揺動自在に支持することを特徴とする請求項１に記載の天井扇風機。
【請求項３】
前記吊り下げ部は、切欠きを有した椀形状の受け部分を有し、
前記駆動部は、モータと、前記モータの下面に固定され前記受け部分に揺動自在に支持される支持部分とを備え、
前記連結部は、前記モータから延びたシャフトに固定され、前記駆動部から前記吊り下げ部の前記切欠きを介して延びることを特徴とする請求項２に記載の天井扇風機。
【請求項４】
前記駆動部の前記モータは、前記吊り下げ部内に設けられることを特徴とする請求項３に記載の天井扇風機。
【請求項５】
前記駆動部の前記支持部分は、曲面形状であることを特徴とする請求項３または４に記載の天井扇風機。
【請求項６】
前記吊り下げ部は、材質が金属であり、前記駆動部の前記支持部分は、材質が樹脂であることを特徴とする請求項３から５のいずれかに記載の天井扇風機。
【請求項７】
前記フランジの重さは、前記羽根の重さより重いことを特徴とする請求項１から５のいずれかに記載の天井扇風機。
【発明の詳細な説明】
【技術分野】
【０００１】
本発明は、天井から吊り下げられる天井扇風機に関する。
【背景技術】
【０００２】
従来の天井扇風機においては、天井に固定される吊り下げ部と、吊り下げ部に係合する連結部と、連結部の下部に備えられている駆動部と、駆動部の下面を覆うモーターカバーと、駆動部に固定された羽根とを備え、駆動部によって羽根が回転するものであった。
【先行技術文献】
【特許文献】
【０００３】
【特許文献１】特開２０１１−２４７２０１号公報
【発明の概要】
【発明が解決しようとする課題】
【０００４】
上記従来の天井扇風機では、駆動部はステーターやローターを有しているため、駆動部の直径や厚みを小さくすることに限界がある。このため、複数の羽根の回転中心に配置された部品であり、駆動部を内蔵するモーターカバーの形状の自由度が制限されてしまうが、駆動部の直径や厚みを考慮した形状の範囲でモーターカバーのデザイン性を高めることが要求されている。
【０００５】
本発明は上記の課題を解決するもので、駆動部の配置を変えることで、駆動部の直径や厚みを気にせず複数の羽根の回転中心に配置された部品を設計することができる天井扇風機を提供することを目的とする。
【課題を解決するための手段】
【０００６】
この目的を解決するために、本発明の天井に取付け可能な天井扇風機は、天井に固定される吊り下げ部と、駆動部と、前記駆動部の下部から延びた連結部と、前記連結部の端部に固定されたフランジと、前記フランジから延びた複数の羽根とを備え、前記駆動部によって、前記連結部と前記フランジと前記羽根とが回転し、前記駆動部は、前記吊り下げ部に引っ掛け可能であることを特徴としたものであり、これにより所期の目的を達成するものである。
【発明の効果】
【０００７】
本発明によれば、駆動部の配置を変えることで、駆動部の直径や厚みを気にせず複数の羽根の回転中心に配置された部品の形状を設計することができる。
【図面の簡単な説明】
【０００８】
【図１】本発明に係る天井扇風機の側面図。
【図２】本発明に係る天井扇風機が備える吊り下げ部の斜視図。
【図３】本発明に係る天井扇風機が備えるフランジの斜視図。
【発明を実施するための形態】
【０００９】
以下、発明の実施の形態について図面を参照しながら説明する。
【００１０】
（実施の形態）
図１は本発明の天井扇風機の側面図である。図２は本発明の天井扇風機が備えるフランジ６と羽根７の斜視図である。図３は本発明の天井扇風機が備える吊り下げ部３周辺の斜視図である。
【００１１】
図１、図２、図３に示すように、天井扇風機１は、吊り下げ部３と、駆動部４と、連結部５と、フランジ６と、羽根７とを備えている。
【００１２】
吊り下げ部３は、帯状の金属板をコ字状に曲げた吊り下げ部分を有している。吊り下げ部分は、底板３Ｂとその両側の側板３Ｃとを有する。両方の側板３Ｃの先端側は、外側に細長板状の固定板３Ａを形成するように折曲げられている。底板３Ｂの中央には、下方へ窪んだ椀形状の受け部分９を有する。底板３Ｂと受け部分９には、鍵穴形状の切欠き８を設けている。鍵穴形状の切欠き８とは、円形の孔８Ａと、四角形状の孔８Ｂとが連結した構成である。円形の孔８Ａは受け部分９に配置され、四角形状の孔８Ｂは円形の孔８Ａから底板３Ｂの端部まで延びている。吊り下げ部３の上部である複数の固定板３Ａは、天井２の下面に固定され、吊り下げ部３の吊り下げ部分内には駆動部４の一部が設けられている。受け部分９には、後述する支持部分４Ｂが移動自在に入り、吊り下げ部３は、駆動部４を揺動自在に支持する。このように、吊り下げ部３内に駆動部４の一部を配置すると、駆動部４の直径や厚みを気にせず、複数の羽根７の回転中心に配置された部品である後述するフランジ６の形状を設計することができる天井扇風機が得られる。
【００１３】
駆動部４は、円柱形状のモータ４Ａと、球形状の支持部分４Ｂと、モータ４Ａの下面から支持部分４Ｂを介して下方に延びるシャフト４Ｃとを有する。支持部分４Ｂは、モータ４Ａの下面に固定されている。モータ４Ａが作動すると、シャフト４Ｃが回転する。駆動部４のシャフト４Ｃの下部には、垂直方向に延びるように連結部５が固定されている。
【００１４】
連結部５は、円筒形状であり、連結部５の中心軸は駆動部４のシャフト４Ｃの回転軸上に延びている。この連結部５の下端には、フランジ６が固定されている。
【００１５】
フランジ６は、円板形状であり、上面の中央に連結部５の下端が固定されている。円板形状のフランジ６の中心は、円筒形状の連結部５の中心軸上に配置されている。このフランジ６の上面の周縁には、着脱可能な複数の羽根７を備えている。
【００１６】
羽根７は、細長板形状であり、フランジ６から外方水平方向に延びるように固定されている。駆動部４のシャフト４Ｃが回転することにより、シャフト４Ｃに固定されている連結部５と、フランジ６と、羽根７とが回転し、空気が送風される。
【００１７】
駆動部４は、吊り下げ部３に引っ掛けが可能であり、駆動部４を揺動自在に支持する。その構造としては、吊り下げ部３が切欠き８を有した底板３Ｂと椀形状の受け部分９とを有し、駆動部４が受け部分９に揺動自在に支持される支持部分４Ｂを備えたものである。
【００１８】
駆動部４を、吊り下げ部３に引っ掛ける場合には、吊り下げ部３の切欠き８における四角形状の孔８Ｂを介して、連結部５を吊り下げ部３の切欠き８における円形の孔８Ａに移動させ、吊り下げ部３の受け部分９に駆動部４の支持部分４Ｂを装着する。支持部分４Ｂは、曲面形状であり、椀形状の受け部分９と摺動することで、駆動部４のシャフト４Ｃと連結部５の中心軸とが鉛直方向に延びるように、駆動部４を任意の角度に傾けることができる。これにより、水平でない天井に吊り下げ部３を固定した場合においても天井扇風機１を設置することができる。なお、図示していないが、吊り下げ部３の受け部分９に駆動部４の支持部分４Ｂを装着した後に、天井２裏から延びる電線を電気的にモータ４Ａに接続する。
【００１９】
また、駆動部４のモータ４Ａは、吊り下げ部３内に設けられる。これにより、天井扇風機１を設置した状態では、モータ４Ａを直接触ることが抑制され、安全性が向上する。
【００２０】
また、吊り下げ部３は、材料が金属であり、駆動部４の支持部分４Ｂは、材質が樹脂である。これにより、支持部分４Ｂが受け部分９と摺動するとき、滑らかに摺動することができる。
【００２１】
また、フランジ６の重量を羽根７の重量よりも重くすることで、羽根の重量が均等でない場合においても、天井扇風機１全体の重心が回転軸に近くなり、天井扇風機１の回転時の揺動を抑えている。
【００２２】
また、天井扇風機は、支持部分４Ｂの中心点を起点に、駆動部４のシャフト４Ｃが傾いたとき、駆動部４のシャフト４Ｃが鉛直方向に戻るモーメント力が働く構成である。具体的には、モータ４Ａによって支持部分４Ｂの中心点を起点として駆動部４のシャフト４Ｃがより傾く方向に作用するモーメント力より、フランジ６と羽根７と連結部５とによって支持部分４Ｂの中心点を起点として駆動部４のシャフト４Ｃを鉛直方向に戻す方向に作用するモーメント力が、大きくなる構成である。
【００２３】
これにより、駆動部の直径や厚みを気にせず、複数の羽根の回転中心に配置された部品であるフランジ６の形状を設計することができる天井扇風機が得られる。
【００２４】
また、支持部分４Ｂの中心点からフランジ６までの距離は、支持部分４Ｂの中心点から駆動部４までの距離より大きい。これにより、フランジ６の形状を小さく設計することができる。
【産業上の利用可能性】
【００２５】
本発明は家庭用や事務所用などの天井扇風機として有用である。
【符号の説明】
【００２６】
１    天井扇風機
２    天井
３    吊り下げ部
３Ａ    固定板
３Ｂ    底板
３Ｃ    側板
４    駆動部
４Ａ    モータ
４Ｂ    支持部分
４Ｃ    シャフト
５    連結部
６    フランジ
７    羽根
８    切欠き
８Ａ    円形の孔
８Ｂ    四角形状の孔
９    受け部分
【図１】
2020051299.tif 000003
【図２】
2020051299.tif 000004
【図３】
2020051299.tif 000005